(57)【要約】【課題】本発明はベビーカーの鍵を開示した。【解決手段】横向きハンドルを含み、前記横向きハンドルの下端面にはボディーロッドが左右対称的に固定的に設置され、前記ボディーロッドの下端面には車輪ブロックが固定的に設置され、前記車輪ブロックの中には前後端壁が外部空間と連通している車輪溝が設置され、前記車輪溝の左右端壁の間には前車輪軸が回転できるように設置され、前記前車輪軸には前車輪が固定的に設置され、二つの前記ボディーロッドの間には前記前車輪をしっかりと引っ掛けることができるロック機構が設置され、本装置は構成が簡単であり、ベビーカーが止まったが、鍵をかけていない時、物にぶつかるなどの意外な状況が発生すれば、自動的にベビーカーの前車輪をロックでき、ベビーカーを強行止め、赤ん坊が意外な状況に陥ることを防止し、使用者の油断で赤ん坊を傷つけることが発生する可能性を減少する。【選択図】図１
2020183218.tif 000002
【特許請求の範囲】
【請求項１】
正面視で、横向きハンドルを含み、前記横向きハンドルの下端面にはボディーロッドが左右対称的に固定的に設置され、前記ボディーロッドの下端面には車輪ブロックが固定的に設置され、前記車輪ブロックの中には前後端壁が外部空間と連通している車輪溝が設置され、前記車輪溝の左右端壁の間には前車輪軸が回転できるように設置され、前記前車輪軸には前車輪が固定的に設置され、二つの前記ボディーロッドの間には前記前車輪をしっかりと引っ掛けることができるロック機構が設置され、前記ロック機構は二つの前記ボディーロッドの間に位置している横向き板を含み、前記横向き板の中には長溝が左右対称的に設置され、前記長溝の下端壁には移動溝と、昇降溝と運動溝とが設置され、前記昇降溝が前記移動溝の前側に位置しており、前記運動溝が前記昇降溝の前側に位置しており、前記移動溝の中には移動ロッドがスライドできるように設置され、前記移動ロッドの上端には移動ブロックが固定的に設置され、前記昇降溝の中には昇降ロッドがスライドできるように設置され、前記昇降ロッドの上端には溝ブロックが固定的に設置され、付図に示す状態の下で、前記移動ブロックが右方へ運動する時に前記溝ブロックの中に挿されて阻止されないことができ、前記溝ブロックの上端面には上端が前記長溝の上端壁と固定的に連結された圧力ばねが前後対称的に固定的に設置され、前記運動溝の中には運動ロッドがスライドできるように設置され、前記運動ロッドの上端には運動ブロックが固定的に設置され、前記運動ブロックと前記移動ブロックとが前記溝ブロックを通り抜けた短縄を通して固定的に連結され、前記運動ブロックの上端面にはプラグが固定的に設置され、前記長溝の後端壁の前側には電源が固定的に設置され、前記プラグが前方へ運動して前記プラグの中に挿し込んだ時、前記プラグが通電でき、前記ボディーロッドの中には前記溝ブロックが上下に運動するのを制御する制御機構が設置され、前記制御機構は前記ボディーロッドの中に位置している斜め溝を含み、前記横向きハンドルの中には前記斜め溝と外部空間とを連通させる伸縮溝が設置され、前記伸縮溝の中には押しブロックがスライドできるように設置され、前記押しブロックの下端面には前記伸縮溝の下端壁と固定的に連結された伸縮ばねが前後対称的に固定的に設置され、前記押しブロックが前記溝ブロックと長ロープを通して固定的に連結され、前記斜め溝の右端壁には前記長ロープに方向をガイドするガイド輪が回転できるように設置されたことを特徴とするベビーカーの鍵。
【請求項２】
前記車輪溝の左端壁には方形溝が設置され、前記方形溝の左端壁には横向きばねが固定的に設置され、前記横向きばねの右端には右端が前記車輪溝の中に位置している磁石が固定的に設置され、前記磁石の右端には第一ブレーキ片が固定的に設置され、前記車輪溝の右端壁には磁性溝が設置され、前記磁性溝の右端壁には磁性ばねが固定的に設置され、前記磁性ばねの左端には電磁石が固定的に設置され、前記電磁石が前記プラグと電線を通して通電できるように連結され、前記プラグが通電した時、前記電線の伝導によって前記電磁石が通電して磁力を生じて前記磁石を吸引し、前記電磁石の左端には第二ブレーキ片が固定的に設置され、前記前車輪軸の中には環状溝が設置され、前記環状溝の中には弧状ブロックがスライドできるように設置され、前記弧状ブロックの上端面には短ロッドが固定的に設置され、前記短ロッドと前記運動ブロックとが曲がりロープを通して固定的に連結され、前記弧状ブロックの中には下方に開口した弾性溝が設置され、前記環状溝の端壁の中には前記方形溝が設置され、前記弾性溝の上端壁には弾性ばねが固定的に設置され、前記弾性ばねの下端には下端が前記方形溝の中に位置している三角ブロックが固定的に設置されたことを特徴とする請求項１に記載のベビーカーの鍵。
【請求項３】
前記ボディーロッドの後端面には支持ロッドがヒンジで連結され、二つの前記支持ロッドが後輪軸を通して固定的に連結され、前記後輪軸には後輪が左右対称的に回転できるように設置され、前記支持ロッドの中には平行移動溝が設置され、前記平行移動の上下端壁には方形磁石が対称的に固定的に設置され、前記平行移動溝の中には鉄ブロックがスライドできるように設置され、前記鉄ブロックと前記方形磁石との間には吸引力があり、前記鉄ブロックの前端面には前端が外部空間に位置している支持ロッドが固定的に設置され、前記横向き板の中には後方に開口した延伸溝が設置され、前記延伸溝の前端壁には延伸ばねが固定的に設置され、前記延伸ばねの後端には前記延伸溝とスライドできるように連結された延伸板が固定的に設置され、前記延伸板の中には旋転溝が設置され、前記支持ロッドが前記旋転溝の端壁と回転できるように連結され、前記ボディーロッドの間には太軸が固定的に設置され、前記太軸には日よけシェードが固定的に設置され、前記日よけシェードの中にある前記太軸には座席が固定的に設置されたことを特徴とする請求項１に記載のベビーカーの鍵。
【発明の詳細な説明】
【技術分野】
【０００１】
本発明はロック分野に関わり、具体的にはベビーカーの鍵である。
【背景技術】
【０００２】
ベビーカーは両親が赤ん坊を連れて外出するのに便利を与える車であり、ほとんどのベビーカーには鍵をかけ、ベビーカーが制御されずに暴走することを防止でき、しかし、既存のベビーカーは多数が手で操作する必要があり、使用者は鍵をかけるのを忘れれば赤ん坊の命の安全を脅かす。
【先行技術文献】
【特許文献】
【０００３】
【特許文献１】中国特許出願公開第１０６９７８９４７号明細書
【発明の概要】
【発明が解決しようとする課題】
【０００４】
本発明はベビーカーの鍵を提供し、上記技術背景に提出された問題を解決することを目的とする。
【課題を解決するための手段】
【０００５】
上記の目的を実現するため、本発明は以下の技術プランを提供する：ベビーカーの鍵は、横向きハンドルを含み、前記横向きハンドルの下端面にはボディーロッドが左右対称的に固定的に設置され、前記ボディーロッドの下端面には車輪ブロックが固定的に設置され、前記車輪ブロックの中には前後端壁が外部空間と連通している車輪溝が設置され、前記車輪溝の左右端壁の間には前車輪軸が回転できるように設置され、前記前車輪軸には前車輪が固定的に設置され、二つの前記ボディーロッドの間には前記前車輪をしっかりと引っ掛けることができるロック機構が設置され、前記ロック機構は二つの前記ボディーロッドの間に位置している横向き板を含み、前記横向き板の中には長溝が左右対称的に設置され、前記長溝の下端壁には移動溝と、昇降溝と運動溝とが設置され、前記昇降溝が前記移動溝の前側に位置しており、前記運動溝が前記昇降溝の前側に位置しており、前記移動溝の中には移動ロッドがスライドできるように設置され、前記移動ロッドの上端には移動ブロックが固定的に設置され、前記昇降溝の中には昇降ロッドがスライドできるように設置され、前記昇降ロッドの上端には溝ブロックが固定的に設置され、付図に示す状態の下で、前記移動ブロックが右方へ運動する時に前記溝ブロックの中に挿されて阻止されないことができ、前記溝ブロックの上端面には上端が前記長溝の上端壁と固定的に連結された圧力ばねが前後対称的に固定的に設置され、前記運動溝の中には運動ロッドがスライドできるように設置され、前記運動ロッドの上端には運動ブロックが固定的に設置され、前記運動ブロックと前記移動ブロックとが前記溝ブロックを通り抜けた短縄を通して固定的に連結され、前記運動ブロックの上端面にはプラグが固定的に設置され、前記長溝の後端壁の前側には電源が固定的に設置され、前記プラグが前方へ運動して前記プラグの中に挿し込んだ時、前記プラグが通電でき、前記ボディーロッドの中には前記溝ブロックが上下に運動するのを制御する制御機構が設置され、前記制御機構は前記ボディーロッドの中に位置している斜め溝を含み、前記横向きハンドルの中には前記斜め溝と外部空間とを連通させる伸縮溝が設置され、前記伸縮溝の中には押しブロックがスライドできるように設置され、前記押しブロックの下端面には前記伸縮溝の下端壁と固定的に連結された伸縮ばねが前後対称的に固定的に設置され、前記押しブロックが前記溝ブロックと長ロープを通して固定的に連結され、前記斜め溝の右端壁には前記長ロープに方向をガイドするガイド輪が回転できるように設置された。
【０００６】
好ましくは、前記車輪溝の左端壁には方形溝が設置され、前記方形溝の左端壁には横向きばねが固定的に設置され、前記横向きばねの右端には右端が前記車輪溝の中に位置している磁石が固定的に設置され、前記磁石の右端には第一ブレーキ片が固定的に設置され、前記車輪溝の右端壁には磁性溝が設置され、前記磁性溝の右端壁には磁性ばねが固定的に設置され、前記磁性ばねの左端には電磁石が固定的に設置され、前記電磁石が前記プラグと電線を通して通電できるように連結され、前記プラグが通電した時、前記電線の伝導によって前記電磁石が通電して磁力を生じて前記磁石を吸引し、前記電磁石の左端には第二ブレーキ片が固定的に設置され、前記前車輪軸の中には環状溝が設置され、前記環状溝の中には弧状ブロックがスライドできるように設置され、前記弧状ブロックの上端面には短ロッドが固定的に設置され、前記短ロッドと前記運動ブロックとが曲がりロープを通して固定的に連結され、前記弧状ブロックの中には下方に開口した弾性溝が設置され、前記環状溝の端壁の中には前記方形溝が設置され、前記弾性溝の上端壁には弾性ばねが固定的に設置され、前記弾性ばねの下端には下端が前記方形溝の中に位置している三角ブロックが固定的に設置された。
【０００７】
好ましくは、前記ボディーロッドの後端面には支持ロッドがヒンジで連結され、二つの前記支持ロッドが後輪軸を通して固定的に連結され、前記後輪軸には後輪が左右対称的に回転できるように設置され、前記支持ロッドの中には平行移動溝が設置され、前記平行移動の上下端壁には方形磁石が対称的に固定的に設置され、前記平行移動溝の中には鉄ブロックがスライドできるように設置され、前記鉄ブロックと前記方形磁石との間には吸引力があり、前記鉄ブロックの前端面には前端が外部空間に位置している支持ロッドが固定的に設置され、前記横向き板の中には後方に開口した延伸溝が設置され、前記延伸溝の前端壁には延伸ばねが固定的に設置され、前記延伸ばねの後端には前記延伸溝とスライドできるように連結された延伸板が固定的に設置され、前記延伸板の中には旋転溝が設置され、前記支持ロッドが前記旋転溝の端壁と回転できるように連結され、前記ボディーロッドの間には太軸が固定的に設置され、前記太軸には日よけシェードが固定的に設置され、前記日よけシェードの中にある前記太軸には座席が固定的に設置された。
【発明の効果】
【０００８】
本発明の有益な効果は：本装置は構成が簡単であり、ベビーカーが止まったが、鍵をかけていない時、物にぶつかるなどの意外な状況が発生すれば、自動的にベビーカーの前車輪をロックでき、ベビーカーを強行止め、赤ん坊が意外な状況に陥ることを防止し、使用者の油断で赤ん坊を傷つけることが発生する可能性を減少する。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のベビーカーの鍵の全体全断面の正面構造略図
【図２】図２は本発明のベビーカーの鍵の左側面の断面構造略図
【図３】図３は図１の中のＢ―Ｂ方向の略図
【図４】図４は図２の中のＡ方向の略図
【図５】図５は図４の中のＣ―Ｃ方向の略図
【図６】図６は図１の中のＤのところの拡大略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜６を参考し、本発明の実施例は：ベビーカーの鍵であり、ベビーカーの鍵は横向きハンドル１２を含み、前記横向きハンドル１２の下端面にはボディーロッド１０が左右対称的に固定的に設置され、前記ボディーロッド１０の下端面には車輪ブロック２４が固定的に設置され、前記車輪ブロック２４の中には前後端壁が外部空間と連通している車輪溝３９が設置され、前記車輪溝３９の左右端壁の間には前車輪軸２０が回転できるように設置され、前記前車輪軸２０には前車輪１９が固定的に設置され、二つの前記ボディーロッド１０の間には前記前車輪１９をしっかりと引っ掛けることができるロック機構７０が設置され、前記ロック機構７０は二つの前記ボディーロッド１０の間に位置している横向き板２６を含み、前記横向き板２６の中には長溝５６が左右対称的に設置され、前記長溝５６の下端壁には移動溝５４と、昇降溝５３と運動溝６３とが設置され、前記昇降溝５３が前記移動溝５４の前側に位置しており、前記運動溝６３が前記昇降溝５３の前側に位置しており、前記移動溝５４の中には移動ロッド５５がスライドできるように設置され、前記移動ロッド５５の上端には移動ブロック５７が固定的に設置され、前記昇降溝５３の中には昇降ロッド６５がスライドできるように設置され、前記昇降ロッド６５の上端には溝ブロック５８が固定的に設置され、付図に示す状態の下で、前記移動ブロック５７が右方へ運動する時に前記溝ブロック５８の中に挿されて阻止されないことができ、前記溝ブロック５８の上端面には上端が前記長溝５６の上端壁と固定的に連結された圧力ばね５９が前後対称的に固定的に設置され、前記運動溝６３の中には運動ロッド６４がスライドできるように設置され、前記運動ロッド６４の上端には運動ブロック６０が固定的に設置され、前記運動ブロック６０と前記移動ブロック５７とが前記溝ブロック５８を通り抜けた短縄６６を通して固定的に連結され、前記運動ブロック６０の上端面にはプラグ６１が固定的に設置され、前記長溝５６の後端壁の前側には電源６２が固定的に設置され、前記プラグ６１が前方へ運動して前記プラグ６１の中に挿し込んだ時、前記プラグ６１が通電でき、前記ボディーロッド１０の中には前記溝ブロック５８が上下に運動するのを制御する制御機構７１が設置され、前記制御機構７１は前記ボディーロッド１０の中に位置している斜め溝３７を含み、前記横向きハンドル１２の中には前記斜め溝３７と外部空間とを連通させる伸縮溝３５が設置され、前記伸縮溝３５の中には押しブロック１３がスライドできるように設置され、前記押しブロック１３の下端面には前記伸縮溝３５の下端壁と固定的に連結された伸縮ばね３４が前後対称的に固定的に設置され、前記押しブロック１３が前記溝ブロック５８と長ロープ３６を通して固定的に連結され、前記斜め溝３７の右端壁には前記長ロープ３６に方向をガイドするガイド輪３８が回転できるように設置された。
【００１３】
有益なように、前記車輪溝３９の左端壁には方形溝５０が設置され、前記方形溝５０の左端壁には横向きばね４９が固定的に設置され、前記横向きばね４９の右端には右端が前記車輪溝３９の中に位置している磁石２２が固定的に設置され、前記磁石２２の右端には第一ブレーキ片２１が固定的に設置され、前記車輪溝３９の右端壁には磁性溝５１が設置され、前記磁性溝５１の右端壁には磁性ばね５２が固定的に設置され、前記磁性ばね５２の左端には電磁石１６が固定的に設置され、前記電磁石１６が前記プラグ６１と電線２３を通して通電できるように連結され、前記プラグ６１が通電した時、前記電線２３の伝導によって前記電磁石１６が通電して磁力を生じて前記磁石２２を吸引し、前記電磁石１６の左端には第二ブレーキ片１７が固定的に設置され、前記前車輪軸２０の中には環状溝４４が設置され、前記環状溝４４の中には弧状ブロック４７がスライドできるように設置され、前記弧状ブロック４７の上端面には短ロッド１８が固定的に設置され、前記短ロッド１８と前記運動ブロック６０とが曲がりロープ２５を通して固定的に連結され、前記弧状ブロック４７の中には下方に開口した弾性溝４６が設置され、前記環状溝４４の端壁の中には前記方形溝５０が設置され、前記弾性溝４６の上端壁には弾性ばね４８が固定的に設置され、前記弾性ばね４８の下端には下端が前記方形溝５０の中に位置している三角ブロック４５が固定的に設置された。
【００１４】
有益なように、前記ボディーロッド１０の後端面には支持ロッド３３がヒンジで連結され、二つの前記支持ロッド３３が後輪軸２８を通して固定的に連結され、前記後輪軸２８には後輪２７が左右対称的に回転できるように設置され、前記支持ロッド３３の中には平行移動溝３１が設置され、前記平行移動３１の上下端壁には方形磁石３２が対称的に固定的に設置され、前記平行移動溝３１の中には鉄ブロック２９がスライドできるように設置され、前記鉄ブロック２９と前記方形磁石３２との間には吸引力があり、前記鉄ブロック２９の前端面には前端が外部空間に位置している支持ロッド３０が固定的に設置され、前記横向き板２６の中には後方に開口した延伸溝４１が設置され、前記延伸溝４１の前端壁には延伸ばね４０が固定的に設置され、前記延伸ばね４０の後端には前記延伸溝４１とスライドできるように連結された延伸板４２が固定的に設置され、前記延伸板４２の中には旋転溝４３が設置され、前記支持ロッド３０が前記旋転溝４３の端壁と回転できるように連結され、前記ボディーロッド１０の間には太軸１４が固定的に設置され、前記太軸１４には日よけシェード１１が固定的に設置され、前記日よけシェード１１の中にある前記太軸１４には座席１５が固定的に設置された。
【００１５】
以下、出願人は附図１〜６及び上記本出願のベビーカーの鍵の具体的な構成を参考して本願のベビーカーの鍵の使用方法を詳しく紹介する：初期状態の下で、圧力ばね５９が圧縮状態にある。
【００１６】
横向きハンドル１２を握り、押しブロック１３をプッシュして下方へ運動させ、ベビーカーをプッシュして運動させることができ、押しブロック１３が運動して長ロープ３６を緩め、圧力ばね５９が復帰し、それによって溝ブロック５８が移動ブロック５７を止める位置まで運動し、この時、ベビーカーに鍵をかけない。
【００１７】
ベビーカーが止まった時、ベビーカーが物にぶつかれば又は意外な状況の下で運動すれば、前車輪１９が前車輪軸２０を回転連動させ、方形溝５０と三角ブロック４５との阻止によって、曲がりロープ２５を引き動かし、この時に溝ブロック５８が移動ブロック５７を阻止しなく、運動ブロック６０が運動でき、プラグ６１を連動させて電源６２の中に挿し込み、電線２３の伝導によって、電磁石１６が通電して磁力を生じて磁石２２を吸引し、第二ブレーキ片１７と第一ブレーキ片２１とが前車輪１９へ運動して前車輪１９を挟み、それによってベビーカーの運動を止める。
【００１８】
本発明の有益な効果は：本装置は構成が簡単であり、ベビーカーが止まったが、鍵をかけていない時、物にぶつかるなどの意外な状況が発生すれば、自動的にベビーカーの前車輪をロックでき、ベビーカーを強行止め、赤ん坊が意外な状況に陥ることを防止し、使用者の油断で赤ん坊を傷つけることが発生する可能性を減少する。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020183218.tif 000003
【図２】
2020183218.tif 000004
【図３】
2020183218.tif 000005
【図４】
2020183218.tif 000006
【図５】
2020183218.tif 000007
【図６】
2020183218.tif 000008
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
正面視で、横向きハンドルを含み、前記横向きハンドルの下端面にはボディーロッドが左右対称的に固定的に設置され、前記ボディーロッドの下端面には車輪ブロックが固定的に設置され、前記車輪ブロックの中には前後端壁が外部空間と連通している車輪溝が設置され、前記車輪溝の左右端壁の間には前車輪軸が回転できるように設置され、前記前車輪軸には前車輪が固定的に設置され、二つの前記ボディーロッドの間には前記前車輪をしっかりと引っ掛けることができるロック機構が設置され、前記ロック機構は二つの前記ボディーロッドの間に位置している横向き板を含み、前記横向き板の中には長溝が左右対称的に設置され、前記長溝の下端壁には移動溝と、昇降溝と運動溝とが設置され、前記昇降溝が前記移動溝の前側に位置しており、前記運動溝が前記昇降溝の前側に位置しており、前記移動溝の中には移動ロッドがスライドできるように設置され、前記移動ロッドの上端には移動ブロックが固定的に設置され、前記昇降溝の中には昇降ロッドがスライドできるように設置され、前記昇降ロッドの上端には溝ブロックが固定的に設置され、前記溝ブロックが上昇した状態の下で、前記移動ブロックが右方へ運動する時に前記溝ブロックの中に挿されて阻止されないことができ、前記溝ブロックの上端面には上端が前記長溝の上端壁と固定的に連結された圧力ばねが前後対称的に固定的に設置され、前記運動溝の中には運動ロッドがスライドできるように設置され、前記運動ロッドの上端には運動ブロックが固定的に設置され、前記運動ブロックと前記移動ブロックとが前記溝ブロックを通り抜けた短縄を通して固定的に連結され、前記運動ブロックの上端面にはプラグが固定的に設置され、前記長溝の前端壁の後側には電源が固定的に設置され、前記プラグが前方へ運動して前記プラグの中に挿し込んだ時、前記プラグが通電でき、前記ボディーロッドの中には前記溝ブロックが上下に運動するのを制御する制御機構が設置され、前記制御機構は前記ボディーロッドの中に位置している斜め溝を含み、前記横向きハンドルの中には前記斜め溝と外部空間とを連通させる伸縮溝が設置され、前記伸縮溝の中には押しブロックがスライドできるように設置され、前記押しブロックの下端面には前記伸縮溝の下端壁と固定的に連結された伸縮ばねが前後対称的に固定的に設置され、前記押しブロックが前記溝ブロックと長ロープを通して固定的に連結され、前記斜め溝の右端壁には前記長ロープに方向をガイドするガイド輪が回転できるように設置されたことを特徴とするベビーカーの鍵。
【請求項２】
前記車輪溝の左端壁には第一方形溝が設置され、前記第一方形溝の左端壁には横向きばねが固定的に設置され、前記横向きばねの右端には右端が前記車輪溝の中に位置している磁石が固定的に設置され、前記磁石の右端には第一ブレーキ片が固定的に設置され、前記車輪溝の右端壁には磁性溝が設置され、前記磁性溝の右端壁には磁性ばねが固定的に設置され、前記磁性ばねの左端には電磁石が固定的に設置され、前記電磁石が前記プラグと電線を通して通電できるように連結され、前記プラグが通電した時、前記電線の伝導によって前記電磁石が通電して磁力を生じて前記磁石を吸引し、前記電磁石の左端には第二ブレーキ片が固定的に設置され、前記前車輪軸の中には環状溝が設置され、前記環状溝の中には弧状ブロックがスライドできるように設置され、前記弧状ブロックの上端面には短ロッドが固定的に設置され、前記短ロッドと前記運動ブロックとが曲がりロープを通して固定的に連結され、前記弧状ブロックの中には下方に開口した弾性溝が設置され、前記環状溝の端壁の中には第二方形溝が設置され、前記弾性溝の上端壁には弾性ばねが固定的に設置され、前記弾性ばねの下端には下端が前記第二方形溝の中に位置している三角ブロックが固定的に設置されたことを特徴とする請求項１に記載のベビーカーの鍵。
【請求項３】
前記ボディーロッドの後端面には支持ロッドがヒンジで連結され、二つの前記支持ロッドが後輪軸を通して固定的に連結され、前記後輪軸には後輪が左右対称的に回転できるように設置され、前記支持ロッドの中には平行移動溝が設置され、前記平行移動溝の上下端壁には方形磁石が対称的に固定的に設置され、前記平行移動溝の中には鉄ブロックがスライドできるように設置され、前記鉄ブロックと前記方形磁石との間には吸引力があり、前記鉄ブロックの前端面には前端が外部空間に位置している延伸ロッドが固定的に設置され、前記横向き板の中には後方に開口した延伸溝が設置され、前記延伸溝の前端壁には延伸ばねが固定的に設置され、前記延伸ばねの後端には前記延伸溝とスライドできるように連結された延伸板が固定的に設置され、前記延伸板の中には旋転溝が設置され、前記延伸ロッドが前記旋転溝の端壁と回転できるように連結され、前記ボディーロッドの間には太軸が固定的に設置され、前記太軸には日よけシェードが固定的に設置され、前記日よけシェードの中にある前記太軸には座席が固定的に設置されたことを特徴とする請求項１に記載のベビーカーの鍵。
【手続補正２】
【補正対象書類名】明細書
【補正対象項目名】全文
【補正方法】変更
【補正の内容】
【発明の詳細な説明】
【技術分野】
【０００１】
本発明はロック分野に関わり、具体的にはベビーカーの鍵である。
【背景技術】
【０００２】
ベビーカーは両親が赤ん坊を連れて外出するのに便利を与える車であり、ほとんどのベビーカーには鍵をかけ、ベビーカーが制御されずに暴走することを防止でき、しかし、既存のベビーカーは多数が手で操作する必要があり、使用者は鍵をかけるのを忘れれば赤ん坊の命の安全を脅かす。
【先行技術文献】
【特許文献】
【０００３】
【特許文献１】中国特許出願公開第１０６９７８９４７号明細書
【発明の概要】
【発明が解決しようとする課題】
【０００４】
本発明はベビーカーの鍵を提供し、上記技術背景に提出された問題を解決することを目的とする。
【課題を解決するための手段】
【０００５】
上記の目的を実現するため、本発明は以下の技術プランを提供する：ベビーカーの鍵は、横向きハンドルを含み、前記横向きハンドルの下端面にはボディーロッドが左右対称的に固定的に設置され、前記ボディーロッドの下端面には車輪ブロックが固定的に設置され、前記車輪ブロックの中には前後端壁が外部空間と連通している車輪溝が設置され、前記車輪溝の左右端壁の間には前車輪軸が回転できるように設置され、前記前車輪軸には前車輪が固定的に設置され、二つの前記ボディーロッドの間には前記前車輪をしっかりと引っ掛けることができるロック機構が設置され、前記ロック機構は二つの前記ボディーロッドの間に位置している横向き板を含み、前記横向き板の中には長溝が左右対称的に設置され、前記長溝の下端壁には移動溝と、昇降溝と運動溝とが設置され、前記昇降溝が前記移動溝の前側に位置しており、前記運動溝が前記昇降溝の前側に位置しており、前記移動溝の中には移動ロッドがスライドできるように設置され、前記移動ロッドの上端には移動ブロックが固定的に設置され、前記昇降溝の中には昇降ロッドがスライドできるように設置され、前記昇降ロッドの上端には溝ブロックが固定的に設置され、前記溝ブロックが上昇した状態の下で、前記移動ブロックが右方へ運動する時に前記溝ブロックの中に挿されて阻止されないことができ、前記溝ブロックの上端面には上端が前記長溝の上端壁と固定的に連結された圧力ばねが前後対称的に固定的に設置され、前記運動溝の中には運動ロッドがスライドできるように設置され、前記運動ロッドの上端には運動ブロックが固定的に設置され、前記運動ブロックと前記移動ブロックとが前記溝ブロックを通り抜けた短縄を通して固定的に連結され、前記運動ブロックの上端面にはプラグが固定的に設置され、前記長溝の前端壁の後側には電源が固定的に設置され、前記プラグが前方へ運動して前記プラグの中に挿し込んだ時、前記プラグが通電でき、前記ボディーロッドの中には前記溝ブロックが上下に運動するのを制御する制御機構が設置され、前記制御機構は前記ボディーロッドの中に位置している斜め溝を含み、前記横向きハンドルの中には前記斜め溝と外部空間とを連通させる伸縮溝が設置され、前記伸縮溝の中には押しブロックがスライドできるように設置され、前記押しブロックの下端面には前記伸縮溝の下端壁と固定的に連結された伸縮ばねが前後対称的に固定的に設置され、前記押しブロックが前記溝ブロックと長ロープを通して固定的に連結され、前記斜め溝の右端壁には前記長ロープに方向をガイドするガイド輪が回転できるように設置された。
【０００６】
好ましくは、前記車輪溝の左端壁には第一方形溝が設置され、前記第一方形溝の左端壁には横向きばねが固定的に設置され、前記横向きばねの右端には右端が前記車輪溝の中に位置している磁石が固定的に設置され、前記磁石の右端には第一ブレーキ片が固定的に設置され、前記車輪溝の右端壁には磁性溝が設置され、前記磁性溝の右端壁には磁性ばねが固定的に設置され、前記磁性ばねの左端には電磁石が固定的に設置され、前記電磁石が前記プラグと電線を通して通電できるように連結され、前記プラグが通電した時、前記電線の伝導によって前記電磁石が通電して磁力を生じて前記磁石を吸引し、前記電磁石の左端には第二ブレーキ片が固定的に設置され、前記前車輪軸の中には環状溝が設置され、前記環状溝の中には弧状ブロックがスライドできるように設置され、前記弧状ブロックの上端面には短ロッドが固定的に設置され、前記短ロッドと前記運動ブロックとが曲がりロープを通して固定的に連結され、前記弧状ブロックの中には下方に開口した弾性溝が設置され、前記環状溝の端壁の中には第二方形溝が設置され、前記弾性溝の上端壁には弾性ばねが固定的に設置され、前記弾性ばねの下端には下端が前記第二方形溝の中に位置している三角ブロックが固定的に設置された。
【０００７】
好ましくは、前記ボディーロッドの後端面には支持ロッドがヒンジで連結され、二つの前記支持ロッドが後輪軸を通して固定的に連結され、前記後輪軸には後輪が左右対称的に回転できるように設置され、前記支持ロッドの中には平行移動溝が設置され、前記平行移動溝の上下端壁には方形磁石が対称的に固定的に設置され、前記平行移動溝の中には鉄ブロックがスライドできるように設置され、前記鉄ブロックと前記方形磁石との間には吸引力があり、前記鉄ブロックの前端面には前端が外部空間に位置している延伸ロッドが固定的に設置され、前記横向き板の中には後方に開口した延伸溝が設置され、前記延伸溝の前端壁には延伸ばねが固定的に設置され、前記延伸ばねの後端には前記延伸溝とスライドできるように連結された延伸板が固定的に設置され、前記延伸板の中には旋転溝が設置され、前記延伸ロッドが前記旋転溝の端壁と回転できるように連結され、前記ボディーロッドの間には太軸が固定的に設置され、前記太軸には日よけシェードが固定的に設置され、前記日よけシェードの中にある前記太軸には座席が固定的に設置された。
【発明の効果】
【０００８】
本発明の有益な効果は：本装置は構成が簡単であり、ベビーカーが止まったが、鍵をかけていない時、物にぶつかるなどの意外な状況が発生すれば、自動的にベビーカーの前車輪をロックでき、ベビーカーを強行止め、赤ん坊が意外な状況に陥ることを防止し、使用者の油断で赤ん坊を傷つけることが発生する可能性を減少する。
【図面の簡単な説明】
【０００９】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のベビーカーの鍵の全体全断面の正面構造略図
【図２】図２は本発明のベビーカーの鍵の左側面の断面構造略図
【図３】図３は図１の中のＢ―Ｂ方向の略図
【図４】図４は図２の中のＡ方向の略図
【図５】図５は図４の中のＣ―Ｃ方向の略図
【図６】図６は図１の中のＤのところの拡大略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜６を参考し、本発明の実施例は：ベビーカーの鍵であり、ベビーカーの鍵は横向きハンドル１２を含み、前記横向きハンドル１２の下端面にはボディーロッド１０が左右対称的に固定的に設置され、前記ボディーロッド１０の下端面には車輪ブロック２４が固定的に設置され、前記車輪ブロック２４の中には前後端壁が外部空間と連通している車輪溝３９が設置され、前記車輪溝３９の左右端壁の間には前車輪軸２０が回転できるように設置され、前記前車輪軸２０には前車輪１９が固定的に設置され、二つの前記ボディーロッド１０の間には前記前車輪１９をしっかりと引っ掛けることができるロック機構７０が設置され、前記ロック機構７０は二つの前記ボディーロッド１０の間に位置している横向き板２６を含み、前記横向き板２６の中には長溝５６が左右対称的に設置され、前記長溝５６の下端壁には移動溝５４と、昇降溝５３と運動溝６３とが設置され、前記昇降溝５３が前記移動溝５４の前側に位置しており、前記運動溝６３が前記昇降溝５３の前側に位置しており、前記移動溝５４の中には移動ロッド５５がスライドできるように設置され、前記移動ロッド５５の上端には移動ブロック５７が固定的に設置され、前記昇降溝５３の中には昇降ロッド６５がスライドできるように設置され、前記昇降ロッド６５の上端には溝ブロック５８が固定的に設置され、前記溝ブロック５８が上昇した状態の下で、前記移動ブロック５７が右方へ運動する時に前記溝ブロック５８の中に挿されて阻止されないことができ、前記溝ブロック５８の上端面には上端が前記長溝５６の上端壁と固定的に連結された圧力ばね５９が前後対称的に固定的に設置され、前記運動溝６３の中には運動ロッド６４がスライドできるように設置され、前記運動ロッド６４の上端には運動ブロック６０が固定的に設置され、前記運動ブロック６０と前記移動ブロック５７とが前記溝ブロック５８を通り抜けた短縄６６を通して固定的に連結され、前記運動ブロック６０の上端面にはプラグ６１が固定的に設置され、前記長溝５６の前端壁の後側には電源６２が固定的に設置され、前記プラグ６１が前方へ運動して前記プラグ６１の中に挿し込んだ時、前記プラグ６１が通電でき、前記ボディーロッド１０の中には前記溝ブロック５８が上下に運動するのを制御する制御機構７１が設置され、前記制御機構７１は前記ボディーロッド１０の中に位置している斜め溝３７を含み、前記横向きハンドル１２の中には前記斜め溝３７と外部空間とを連通させる伸縮溝３５が設置され、前記伸縮溝３５の中には押しブロック１３がスライドできるように設置され、前記押しブロック１３の下端面には前記伸縮溝３５の下端壁と固定的に連結された伸縮ばね３４が前後対称的に固定的に設置され、前記押しブロック１３が前記溝ブロック５８と長ロープ３６を通して固定的に連結され、前記斜め溝３７の右端壁には前記長ロープ３６に方向をガイドするガイド輪３８が回転できるように設置された。
【００１３】
有益なように、前記車輪溝３９の左端壁には第一方形溝５０が設置され、前記第一方形溝５０の左端壁には横向きばね４９が固定的に設置され、前記横向きばね４９の右端には右端が前記車輪溝３９の中に位置している磁石２２が固定的に設置され、前記磁石２２の右端には第一ブレーキ片２１が固定的に設置され、前記車輪溝３９の右端壁には磁性溝５１が設置され、前記磁性溝５１の右端壁には磁性ばね５２が固定的に設置され、前記磁性ばね５２の左端には電磁石１６が固定的に設置され、前記電磁石１６が前記プラグ６１と電線２３を通して通電できるように連結され、前記プラグ６１が通電した時、前記電線２３の伝導によって前記電磁石１６が通電して磁力を生じて前記磁石２２を吸引し、前記電磁石１６の左端には第二ブレーキ片１７が固定的に設置され、前記前車輪軸２０の中には環状溝４４が設置され、前記環状溝４４の中には弧状ブロック４７がスライドできるように設置され、前記弧状ブロック４７の上端面には短ロッド１８が固定的に設置され、前記短ロッド１８と前記運動ブロック６０とが曲がりロープ２５を通して固定的に連結され、前記弧状ブロック４７の中には下方に開口した弾性溝４６が設置され、前記環状溝４４の端壁の中には第二方形溝６７が設置され、前記弾性溝４６の上端壁には弾性ばね４８が固定的に設置され、前記弾性ばね４８の下端には下端が前記第二方形溝６７の中に位置している三角ブロック４５が固定的に設置された。
【００１４】
有益なように、前記ボディーロッド１０の後端面には支持ロッド３３がヒンジで連結され、二つの前記支持ロッド３３が後輪軸２８を通して固定的に連結され、前記後輪軸２８には後輪２７が左右対称的に回転できるように設置され、前記支持ロッド３３の中には平行移動溝３１が設置され、前記平行移動溝３１の上下端壁には方形磁石３２が対称的に固定的に設置され、前記平行移動溝３１の中には鉄ブロック２９がスライドできるように設置され、前記鉄ブロック２９と前記方形磁石３２との間には吸引力があり、前記鉄ブロック２９の前端面には前端が外部空間に位置している延伸ロッド３０が固定的に設置され、前記横向き板２６の中には後方に開口した延伸溝４１が設置され、前記延伸溝４１の前端壁には延伸ばね４０が固定的に設置され、前記延伸ばね４０の後端には前記延伸溝４１とスライドできるように連結された延伸板４２が固定的に設置され、前記延伸板４２の中には旋転溝４３が設置され、前記延伸ロッド３０が前記旋転溝４３の端壁と回転できるように連結され、前記ボディーロッド１０の間には太軸１４が固定的に設置され、前記太軸１４には日よけシェード１１が固定的に設置され、前記日よけシェード１１の中にある前記太軸１４には座席１５が固定的に設置された。
【００１５】
以下、出願人は附図１〜６及び上記本出願のベビーカーの鍵の具体的な構成を参考して本願のベビーカーの鍵の使用方法を詳しく紹介する：初期状態の下で、圧力ばね５９が圧縮状態にある。
【００１６】
横向きハンドル１２を握り、押しブロック１３をプッシュして下方へ運動させ、ベビーカーをプッシュして運動させることができ、押しブロック１３が運動して長ロープ３６を緩め、圧力ばね５９が復帰し、それによって溝ブロック５８が移動ブロック５７を止める位置まで運動し、この時、ベビーカーに鍵をかけない。
【００１７】
ベビーカーが止まった時、ベビーカーが物にぶつかれば又は意外な状況の下で運動すれば、前車輪１９が前車輪軸２０を回転連動させ、第二方形溝６７と三角ブロック４５との阻止によって、曲がりロープ２５を引き動かし、この時に溝ブロック５８が移動ブロック５７を阻止しなく、運動ブロック６０が運動でき、プラグ６１を連動させて電源６２の中に挿し込み、電線２３の伝導によって、電磁石１６が通電して磁力を生じて磁石２２を吸引し、第二ブレーキ片１７と第一ブレーキ片２１とが前車輪１９へ運動して前車輪１９を挟み、それによってベビーカーの運動を止める。
【００１８】
本発明の有益な効果は：本装置は構成が簡単であり、ベビーカーが止まったが、鍵をかけていない時、物にぶつかるなどの意外な状況が発生すれば、自動的にベビーカーの前車輪をロックでき、ベビーカーを強行止め、赤ん坊が意外な状況に陥ることを防止し、使用者の油断で赤ん坊を傷つけることが発生する可能性を減少する。
【００１９】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【手続補正３】
【補正対象書類名】図面
【補正対象項目名】図４
【補正方法】変更
【補正の内容】
【図４】
2020183218.tif 000009